(57)【要約】      （修正有）【課題】スルーホールに挿入された状態でレーザはんだ付けにより当該スルーホールに接続された導線を備えた接続構造において、斜め方向からレーザ光を照射した場合に、導線の被覆の焦げを防ぐ。【解決手段】ワーク１に設けられ、黒色に着色されたスルーホール１１と、黒色に着色され、スルーホール１１に挿入された状態でレーザはんだ付けにより当該スルーホール１１に接続された導線２とを備えた。さらに前記ワーク１上の前記スルーホール１１の周囲に設けられ、黒色に着色されたランド１２を備えた。【選択図】図１
2017098397.tif 000002
【特許請求の範囲】
【請求項１】
ワークに設けられ、黒色に着色されたスルーホールと、
黒色に着色され、前記スルーホールに挿入された状態でレーザはんだ付けにより当該スルーホールに接続された導線と
を備えた接続構造。
【請求項２】
前記ワーク上の前記スルーホールの周囲に設けられ、黒色に着色されたランドを備えた
ことを特徴とする請求項１記載の接続構造。
【請求項３】
ワークに設けられ、黒色に着色されたスルーホールと、前記スルーホールに挿入可能であり、黒色に着色された導線とを備えた接続構造の接続方法であって、
レーザはんだ付け部が、前記スルーホールに通された前記導線に対して、斜め方向からレーザ光を照射してはんだ付けを行う
ことを特徴とする接続方法。
【発明の詳細な説明】
【技術分野】
【０００１】
この発明は、導線とスルーホールとの接続構造及び接続方法に関するものである。
【背景技術】
【０００２】
はんだ付けとして、近年、プロセスの短時間化及びメンテナンスフリーを目的として、レーザはんだ付けの需要が高まっている（例えば特許文献１，２参照）。
ここで、図２に示すように、ワーク１０１に設けられたスルーホール１０１１に対して導線１０２をはんだ付けする場合、通常では、ワーク１０１のスルーホール１０１１に通された導線１０２に対して、レーザ光源１０３１は、真上からレーザ光を照射している。しかしながら、この場合、導線１０２とスルーホール１０１１とのクリアランスをレーザ光が通過し、導線１０２の被覆１０２１を焦がしてしまうという課題がある。
そこで、従来では、スルーホール１０１１に通された導線１０２に対して、斜め方向（ワーク１０１に対して６０〜４５度の角度）からレーザ光を照射している。これにより、上記クリアランスをレーザ光が通過して導線１０２の被覆１０２１に到達することを防ぐことができる。なお図２に示す符号１０１２はランドである。また図２では、レーザはんだ付けを行うはんだ付け装置のうち、レーザ光源１０３１のみを図示している。
【先行技術文献】
【特許文献】
【０００３】
【特許文献１】特開２００８−１６８３３３号公報
【特許文献２】特開２０１３−１８７４１１号公報
【発明の概要】
【発明が解決しようとする課題】
【０００４】
上述したように、従来のレーザはんだ付けでは、斜め方向からレーザ光を照射することで、レーザ光が導線１０２とスルーホール１０１１とのクリアランスを通過して導線１０２の被覆１０２１に到達することを防いでいる。しかしながら、斜め方向からレーザ光を照射した場合であっても、スルーホール１０１１内を反射することによるクロストークの影響が残り、導線１０２の被覆１０２１が焦げてしまうという課題がある。
【０００５】
この発明は、上記のような課題を解決するためになされたもので、斜め方向からレーザ光を照射した場合に、導線の被覆の焦げを防ぐことができる接続方法及び接続構造を提供することを目的としている。
【課題を解決するための手段】
【０００６】
この発明に係る接続構造は、ワークに設けられ、黒色に着色されたスルーホールと、黒色に着色され、スルーホールに挿入された状態でレーザはんだ付けにより当該スルーホールに接続された導線とを備えたものである。
【０００７】
また、この発明に係る接続方法は、ワークに設けられ、黒色に着色されたスルーホールと、スルーホールに挿入可能であり、黒色に着色された導線とを備えた接続構造の接続方法であって、レーザはんだ付け部が、スルーホールに通された導線に対して、斜め方向からレーザ光を照射してはんだ付けを行うものである。
【発明の効果】
【０００８】
この発明によれば、上記のように構成したので、斜め方向からレーザ光を照射した場合に、導線の被覆の焦げを防ぐことができる。
【図面の簡単な説明】
【０００９】
【図１】この発明の実施の形態１に係る接続構造及び接続方法の一例を示す模式図である。
【図２】従来の接続構造及び接続方法を示す模式図である。
【発明を実施するための形態】
【００１０】
以下、この発明の実施の形態について図面を参照しながら詳細に説明する。
実施の形態１．
図１はこの発明の実施の形態１に係る接続構造及び接続方法の一例を示す模式図である。
この接続構造では、図１に示すように、スルーホール１１を有するワーク１と、スルーホール１１に挿入可能である導線２とを備えている。また、ワーク１の上面には、スルーホール１１の周囲に、ランド１２が設けられている。図１では、導線２、スルーホール１１及びランド１２が３つずつ設けられた場合を示している。なお符号２１は導線２の被覆である。また、スルーホール１１に導線２を通した場合、導線２とスルーホール１１との間にはクリアランスが存在している。
【００１１】
そして本発明では、導線２及びスルーホール１１が黒色に着色されている（着色部２２，１１１）。このように、導線２及びスルーホール１１に黒色の着色部２２，１１１を付加することで、レーザはんだ付けを行う際に照射されたレーザ光を着色部２２，１１１で吸収することができる。
【００１２】
一方、スルーホール１１と導線２とを接続するはんだ付け装置３は、図１に示すように、レーザ光を照射するレーザ光源３１と、はんだを供給するはんだ供給部３２と、レーザ光源３１及びはんだ供給部３２を制御する制御部（レーザはんだ付け部）３３とを備えている。制御部３３は、スルーホール１１に通された導線２に対して、斜め方向からレーザ光を照射してはんだ付けを行うように、レーザ光源３１及びはんだ供給部３２を制御する。
【００１３】
次に、上記のように構成された導線２とスルーホール１１との接続方法について説明する。
本発明では、事前に、導線２及びスルーホール１１を黒色に着色する（着色部２２，１１１）。この際、例えば、フェルトペンを用いて黒色に着色することができる。また、その他にも、例えば、導線２をインクにディップすることで黒色に着色してもよい。また、ワーク１のスルーホール１１以外の箇所にマスクを施した上で当該ワーク１をインクにディップすることで黒色に着色してもよい。また、スルーホール１１と同一径の部材にインクを塗布して、当該スルーホール１１に差し込むことで、黒色に着色してもよい。
【００１４】
そして、はんだ付け装置３では、制御部３３が、スルーホール１１に通された導線２に対して、斜め方向からレーザ光を照射してはんだ付けを行うように、レーザ光源３１及びはんだ供給部３２を制御する（レーザはんだ付けステップ）。この際、ワーク１に対して６０〜４５度の角度でレーザ光を照射する。これにより、導線２をスルーホール１１にはんだ付けすることができる。
【００１５】
ここで、レーザはんだ付けステップでは、斜め方向からレーザ光を照射している。これにより、レーザ光が導線２とスルーホール１１とのクリアランスを通過して導線２の被覆２１に到達することを防ぐことができる。
また本発明では、導線２及びスルーホール１１に黒色の着色部２２，１１１を付加している。そのため、斜め方向から照射されたレーザ光を上記着色部２２，１１１で吸収することができ、クロストークの影響を防ぐことができる。その結果、導線２の被覆２１の焦げを防ぐことができる。
【００１６】
以上のように、この実施の形態１によれば、導線２及びスルーホール１１を黒色に着色してレーザ光はんだ付けを行うように構成したので、斜め方向からレーザ光を照射した場合に、導線２の被覆２１の焦げを防ぐことができる。
【００１７】
なお上記では、導線２及びスルーホール１１を黒色に着色する場合を示したが、更に、ランド１２も黒色に着色してもよい。
【００１８】
また、本願発明はその発明の範囲内において、実施の形態の任意の構成要素の変形、もしくは実施の形態の任意の構成要素の省略が可能である。
【符号の説明】
【００１９】
１  ワーク
２  導線
３  はんだ付け装置
１１  スルーホール
１２  ランド
２１  被覆
２２  着色部
３１  レーザ光源
３２  はんだ供給部
３３  制御部
１１１  着色部
【図１】
2017098397.tif 000003
【図２】
2017098397.tif 000004